(57)【要約】【課題】  従来の引き戸では、突出片が大きく沈み込むことにより、引き戸の上端と筺体が強く接触することになるので、閉まった状態の引き戸１０２を開放させることができなくなるという問題があった。【解決手段】  本発明は、袖パネル本体６０の上部に設けられ、左右側面体１１ａ、１１ｂ、および下面体１１ｃで囲まれた躯体開口１１と、躯体開口１１の左右側面に係合して設けられ、上面が上案内溝６と係合する上案内溝係合体１２と、上案内溝係合体１２を下方に移動させて、上案内溝係合体１２上面と上案内溝６との係合を解除させる上案内溝係合解除機構部１３（下部延設体１４、支持体１５）と、を有し、上案内溝係合解除機構部１３を操作することにより、上案内溝係合体１２を下方に移動させ、上案内溝係合体１２上面と上案内溝６との係合が解除される。これにより、外部に脱出することができる。【選択図】  図１２
2019065699.tif 000002
【特許請求の範囲】
【請求項１】
上案内溝と袖パネル枠設置部の間に設置され、震災などで開放しなくなったときでも外部に脱出することができる非常脱出機能付き袖パネルであって、
周囲を囲む袖パネル枠と、
上案内溝と所定の間隔を空けて前記袖パネル枠内に設置され、下面に該袖パネル枠の底板上部の前記袖パネル枠設置部と係合する下端突出片が形成された袖パネル本体と、
該袖パネル本体の上部に設けられ、少なくとも左右側面体、および下面体で囲まれた躯体開口と、
該躯体開口の左右側面に係合して設けられ、上面が前記袖パネル枠の頂板下部の前記上案内溝と係合する上案内溝係合体と、
該上案内溝係合体を下方に移動させて、該上案内溝係合体上面と前記上案内溝との係合を解除させる上案内溝係合解除機構部とを、有し、
前記上案内溝係合解除機構部は、
該上案内溝係合体と結合し、前記上案内溝係合体の高さ方向の下部まで延設する下部延設体と、
該下部延設体を係止することにより、該下部延設体を下部から支持する支持体と、を有し、
前記上案内溝係合体は、前記支持体が操作されることにより前記支持体による前記下部延設体の支持が解除され、前記上案内溝係合体が下方に移動することにより前記上案内溝係合体上面と前記上案内溝との係合が解除されることを特徴とする非常脱出機能付き袖パネル。
【請求項２】
前記上案内溝係合体は、前記上案内溝係合体の上面の右端部から左端部まで連続して前記上案内溝と係合していることを特徴とする請求項１記載の非常脱出機能付き袖パネル。
【請求項３】
前記下部延設体は、前記上案内溝係合体の左側と右側に設けられ、
左側の前記下部延設体および右側の前記下部延設体は、１つの前記支持体により下部から支持されていることを特徴とする請求項１記載の非常脱出機能付き袖パネル。
【発明の詳細な説明】
【技術分野】
【０００１】
本発明は、震災などで開放しなくなったときでも外部に脱出することができる非常脱出機能付き袖パネルに関するものである。
【背景技術】
【０００２】
従来から取り付けの利便性を確保する引き戸が知られていた。この種の引き戸として、引き戸１０２の上端側に上レール１１４ａと係合するスライドユニット１０３が設けられ、その引き戸１０２の上端側に設けられたスライドユニット１０３は、引き戸１０２の上端に取り付けられたスライダ受け１０５と、そのスライダ受け１０５から突没させる突出片１６５が形成され、スライダ受け１０５の内部で保持されるスライダ本体１０６と、が備えられている（図１５、図１６参照）。そして、スライダ本体１０６は、スライダ受け１０５に設けられた第１開口１５５とスライダ本体１０６に設けられた爪部１６６ａとが係り合うことにより突出片１６５が引き戸１０２の上端よりも上方に突出して上レール１１４ａに係り合うようにしたものであった（例えば、特許文献１）。また、この引き戸１０２は、突出片１６５が上方から荷重を受けても、バネ部１５５ａの中央が下方に湾曲するように弾性変形するので、引き戸１０２が傾いてスライダ本体１０６の突出片１６５の上部が上レール１１４ａ内の上面に当接した場合でも、突出片１６５が下方に沈み込むことで当接に伴う負荷を軽減させることができるとともに、突出片１６５と上レール１１４ａの係合を保ったままの状態で引き戸１０２全体を上下方向に弾性的に支持するので、地震等による衝撃を吸収することができるというものであった（図１５参照）。ここで、図１４は従来の収納装置に取り付けられた引き戸の上レール周辺を示す縦断面図であり、図１５は同引き戸とスライドユニットとを分解した状態を示す斜視図であり、図１６は同引き戸が上方から荷重を受け突出片が沈み込む状態の説明図である。なお、上述した従来の引き戸は、収納装置の引き戸であって、本願発明のように、震災などで開放しなくなったときに外部に脱出することを目的としたものではない。
【先行技術文献】
【特許文献】
【０００３】
【特許文献１】特開２０１４−９２０１０号公報
【発明の概要】
【発明が解決しようとする課題】
【０００４】
従来の引き戸１０２は、突出片１６５が上方から荷重を受けた場合でも、バネ部１５５ａにより突出片１６５が下方に沈むことにより、地震等による衝撃を吸収することができるものであるが、地震などによる強い揺れが生じる場合に突出片１６５が下方に大きく沈み込むことになり、スライダ本体１０６の爪部１６６ａがスライダ受け１０５の第１開口１５５から外れることもあった。また、スライダ本体１０６の爪部１６６ａがスライダ受け１０５の第１開口１５５から外れない場合においても、突出片１６５が大きく沈み込むことにより、引き戸１０２の上端と筺体１１１が強く接触することになり、閉まった状態の引き戸１０２を開放させることができなくなるという問題が生じる。このように、震災時に閉まった状態の引き戸１０２を開放させることができないと、そこから外部に脱出することができず、その結果重大な事態が生じることになるという問題が生じる。
【０００５】
本発明は、震災などで開放しなくなったときでも容易にかつ確実に非常脱出機能付き袖パネルを袖パネル枠から取り外すことができ、外部に脱出することができる非常脱出機能付き袖パネルを提供することを目的とする。
【課題を解決するための手段】
【０００６】
本発明の第１の態様は、上案内溝と袖パネル枠設置部の間に設置され、震災などで開放しなくなったときでも外部に脱出することができる非常脱出機能付き袖パネルであって、  周囲を囲む袖パネル枠と、上案内溝と所定の間隔を空けて袖パネル枠内に設置され、下面に袖パネル枠の底板上部の袖パネル枠設置部と係合する下端突出片が形成された袖パネル本体と、袖パネル本体の上部に設けられ、少なくとも左右側面体、および下面体で囲まれた躯体開口と、躯体開口の左右側面に係合して設けられ、上面が袖パネル枠の頂板下部の上案内溝と係合する上案内溝係合体と、上案内溝係合体を下方に移動させて、上案内溝係合体上面と上案内溝との係合を解除させる上案内溝係合解除機構部とを、有し、上案内溝係合解除機構部は、上案内溝係合体と結合し、上案内溝係合体の高さ方向の下部まで延設する下部延設体と、下部延設体を係止することにより、下部延設体を下部から支持する支持体と、を有し、上案内溝係合体は、支持体が操作されることにより支持体による下部延設体の支持が解除され、上案内溝係合体が下方に移動することにより上案内溝係合体上面と上案内溝との係合が解除されることを特徴とするものである。
【０００７】
本発明によれば、支持体が操作されることにより支持体による下部延設体の支持が解除され、上案内溝係合体が下方に移動することにより上案内溝係合体上面と上案内溝との係合が解除されるので、震災などで開放しなくなったときでも容易かつ確実に袖パネル枠から非常脱出機能付き袖パネルを取り外すことができる。これにより、袖パネル枠から外部に脱出することができる。また、上案内溝と係合する上案内溝係合体が躯体開口の左右側面に係合して設けられているので、震災などにより非常脱出機能付き袖パネルに荷重が掛かった場合でも、躯体開口の左右全域から構成される上案内溝係合体により荷重が支持されているので、局部的に大きな荷重が掛かることなく、非常脱出機能付き袖パネルを破壊から保護することができる。
【０００８】
本発明の第２の態様は、本発明の第１の態様の非常脱出機能付き袖パネルであって、上案内溝係合体は、上案内溝係合体の上面の右端部から左端部まで連続して上案内溝と係合していることを特徴とするものである。
【０００９】
上案内溝係合体の上面の右端部から左端部まで連続して上案内溝と係合しているので、震災などにより非常脱出機能付き袖パネルに荷重が掛かった場合でも、躯体開口の左右全域から構成される上案内溝係合体上面により荷重が支持される。これにより、上案内溝係合体上面に局部的な大きな荷重が掛かることなく、上案内溝係合体上面を破壊から保護することができる。また、上案内溝係合体の上面の右端部から左端部まで連続して上案内溝と係合しているので、上案内溝係合体と上案内溝の間の隙間が上案内溝係合体上面により閉鎖され、外部から内部に隙間風が入ってくることを防止することができる。さらに、上案内溝係合体の上面の右端部から左端部まで連続して上案内溝が係合されているので、上案内溝と上案内溝係合体の間にバールなどを挿入して、袖パネル枠から非常脱出機能付き袖パネルを取り外すことができなくなる。これにより、防犯上の効果もアップさせることができる。
【００１０】
本発明の第３の態様は、本発明の第１の態様の非常脱出機能付き袖パネルであって、下部延設体は、上案内溝係合体の左側と右側に設けられ、左側の下部延設体および右側の下部延設体は、１つの支持体により下部から支持されていることを特徴とするものである。
【００１１】
本発明によれば、左側の下部延設体および右側の下部延設体が１つの支持体により下部から支持されているので、使用者が１つの支持体を操作することにより、上案内溝係合体を下方に移動させて、上案内溝係合体上面と上案内溝との係合が解除される。これにより、震災などで袖パネルが開放しなくなったときでも、使用者は容易に袖パネル枠から非常脱出機能付き袖パネルを取り外すことができる。
【発明の効果】
【００１２】
本発明による非常脱出機能付き袖パネルによれば、震災などで開放しなくなったときでも容易かつ確実に袖パネル枠から取り外すことができ、袖パネル枠から外部に脱出することができる。
【図面の簡単な説明】
【００１３】
【図１】本発明の第１実施形態における非常脱出機能付き引き戸が取り付けられた状態を示す表面図である。
【図２】同非常脱出機能付き引き戸が取り付けられた状態を示す裏面図である。
【図３】同非常脱出機能付き引き戸の構造を示す図である。
【図４】（ａ）  本発明の第１実施形態における上案内溝係合体と結合した下部延設体の上部斜視図である。  （ｂ）  同上案内溝係合体の上面図である。  （ｃ）  同下部延設体の下部側面斜視図である。
【図５】（ａ）  本発明の第１実施形態における支持体の上部斜視図である。  （ｂ）  同支持体の上面図である。  （ｃ）  同支持体の側面図である。
【図６】本発明の第１実施形態における非常脱出機能付き引き戸の通常設置状態を示す斜視図である。
【図７】同非常脱出機能付き引き戸の上端が下方に移動した状態を示す図である。
【図８】（ａ）  本発明の第１実施形態における非常脱出機能付き引き戸の通常設置状態を示す側面図である。  （ｂ）  図８（ａ）のＡ−Ａ断面図である。
【図９】（ａ）  本発明の第１実施形態における非常脱出機能付き引き戸の上端が下方に移動した状態を示す図である。  （ｂ）  図９（ａ）のＢ−Ｂ断面図である。
【図１０】本発明の第１実施形態における非常脱出機能付き引き戸が使用者に押圧され倒される状態を示す図である。
【図１１】本発明の第２実施形態における非常脱出機能付き袖パネルが取り付けられた状態を示す正面図である。
【図１２】同非常脱出機能付き袖パネルが取り付けられた状態を示す裏面図である。
【図１３】同非常脱出機能付き袖パネルが使用者に押圧され倒される状態を示す図１１のＣ−Ｃ断面図である。
【図１４】従来の収納装置に取り付けられた引き戸の上レール周辺を示す縦断面図である。
【図１５】同引き戸とスライドユニットとを分解した状態を示す斜視図である。
【図１６】同引き戸が上方から荷重を受け突出片が沈み込む状態の説明図である。
【発明を実施するための形態】
【００１４】
（第１実施形態）
以下、本発明の非常脱出機能付き引き戸の第１実施形態について図面を参照にしながら説明する。図１は本発明の第１実施形態における引き戸枠に非常脱出機能付き引き戸が取り付けられた状態を示す正面図であり、図２は同非常脱出機能付き引き戸が取り付けられた状態を示す裏面図である。
【００１５】
図１に示すように、非常脱出機能付き引き戸１は、左開きの片引きとして、非常脱出機能付き引き戸１の周囲を囲む引き戸枠２に取り付けらえている。そして、非常脱出機能付き引き戸１が閉じているときには、壁３の外側になるように配置されている。ここで、引き戸枠２は、木製で、頂板２ａ、底板２ｂ、左右の側板２ｃ、２ｄから構成されている。なお、本実施形態では、引き戸枠２を、頂板２ａと底板２ｂと左右の側板２ｃ、２ｄから構成させたが、頂板２ａ底板２ｂ、左側板２ｃもしくは右側板２ｄから構成させてもよい。すなわち、引き戸枠２を４辺枠から構成させるものでなく、３辺枠から構成させるものであってもよい。この引き戸枠２の下部（底板２ｂ上部）には凹形状の下案内レール５が形成され、また上部（頂板２ａ下部）には凹形状の上案内溝６が形成されている。下案内レール５および上案内溝６は、１本の直線状のレール（溝）として形成されている。そして、引き戸枠２に取り付けられた非常脱出機能付き引き戸１が下案内レール５および上案内溝６に沿って移動することにより、非常脱出機能付き引き戸１を開閉することができる。ここで、非常脱出機能付き引き戸１が閉じているときは、非常脱出機能付き引き戸１の表面右端部に装着された右側板カバー４により右側板２ｄ上部から係合される。このように、常脱出機能付き引き戸１が閉じているときは、右側板カバー４が右側板２ｄ上部に係合されるので、常脱出機能付き引き戸１と右側板２ｄの間から隙間風が内部に入ることを防止することができる。なお、本実施形態では、引き戸枠２として木製のものを用いたが、これに限らず、アルミ製でもよく、他の材料から製造されたものを用いてもよい。また、本実施形態では、下案内レール５および上案内溝６を１本のレールとして引き戸枠２を形成したが、これに限らず、下案内レール５および上案内溝６をそれぞれ２本以上（たとえば、２本、３本、４本など）平行に引き戸枠２を形成するようにしてもよい。このように、２本以上の下案内レール５および上案内溝６が引き戸枠２の上部および下部に形成されている場合は、それぞれのレール（溝）に非常脱出機能付き引き戸１が取り付けられる。なお、この場合において、１番外側の引き戸は少なくとも非常脱出機能付き引き戸１が用いられる。換言すれば、１番外側の引き戸以外の引き戸は通常の引き戸を用いてもよい。また、本実施形態では、下案内レール５と上案内溝６を表現上区別して記載しているが、溝はレールとして用いることができることから、上案内溝６を上案内レール６と表現してもよい。
【００１６】
図２に示すように、非常脱出機能付き引き戸１は、裏面表面に化粧板が装着され、その化粧板上部には上下操作窓７が形成され、上下操作窓７の下部には左右操作窓８を形成されている。上下操作窓７と左右操作窓８の詳細は、後述する。なお、本実施形態では、裏面表面に化粧板を装着させたが、これに限らず、化粧板を装着させないでもよい。
【００１７】
次に、非常脱出機能付き引き戸の構造について、図３を参照にしながら説明する。ここで、図３は、本発明の第１実施形態における非常脱出機能付き引き戸の構造を示す図である。
【００１８】
図３に示すように、非常脱出機能付き引き戸１の上部は、非常脱出機能付き引き戸１の上端を下方に移動させることができる構造になっている。この非常脱出機能付き引き戸１の上端を下方に移動させる構造として、上案内溝６と所定の間隔を空けて引き戸枠２内に設置され、下面に引き戸枠２の底板２ｂ上部の下案内レール５と係合する下端突出片９が形成された引き戸本体１０と、引き戸本体１０の上部に設けられ、少なくとも左右側面体１１ａ、１１ｂ、および下面体１１ｃで囲まれた躯体開口１１と、躯体開口１１の左右側面に係合して設けられ、上面が引き戸枠２の頂板２ａ下部の上案内溝６と係合する上案内溝係合体１２と、上案内溝係合体１２を下方に移動させて、上案内溝係合体１２上面と上案内溝６との係合を解除させる上案内溝係合解除機構部１３（下部延設体１４と支持体１５）とから構成されている。ここで、躯体開口１１とは、上述したように、少なくとも左右側面体１１ａ、１１ｂ、および下面体１１ｃで囲まれた開口であるが、本実施形態では、左右側面体１１ａ、１１ｂ、下面体１１ｃ、および引き戸枠２の頂板２ａ により囲まれている略四角形状をした開口として説明する。このように、上案内溝係合体１２が躯体開口１１の左右側面に係合して設けられているので、震災などにより非常脱出機能付き引き戸１に荷重が掛かった場合でも、躯体開口１１の左右全域から構成される上案内溝係合体１２により荷重が支持され、局部的に大きな荷重が掛かることない。これにより、非常脱出機能付き引き戸１を破壊から保護することができる。なお、本実施形態では、非常脱出機能付き引き戸１の上端を下方に移動させる構造として、上案内溝係合体１２と、上案内溝係合解除機構部１３とから構成されたが、これに限定するのではなく、その他の部材から構成するものであってもよい。また、上案内溝係合解除機構部１３を下部延設体１４と支持体１５とから構成されたが、これに限定するのではなく、その他の部材から構成するものであってもよい。また、本実施形態では、上記のように躯体開口１１を構成させたが、これに限らず、左右側面体１１ａ、１１ｂや下面体１１ｃや引き戸枠２の頂板２ａの内側に柱（板）などが設けられている場合は、その柱（板）などの内側により躯体開口１１を形成するようにしてもよい。以下、非常脱出機能付き引き戸１の構造について、具体的に説明する。
【００１９】
非常脱出機能付き引き戸１は、木製で横長の略四角柱形状で、引き戸枠２と、引き戸本体１０と、躯体開口１１と、上案内溝係合体１２と、上案内溝係合解除機構部１３（下部延設体１４と支持体１５）と、を有している。この引き戸本体１０の下端には、下端突出片９が形成されている。そして、非常脱出機能付き引き戸１が引き戸枠２に設置されている状態で、引き戸本体１０の下端突出片９が引き戸枠２下部の下案内レール５と係合しながら、非常脱出機能付き引き戸１を引き戸枠２下部の下案内レール５に沿って移動させることができる。具体的には、使用者は、非常脱出機能付き引き戸１の右側部の把手部１６（図１参照）を操作することにより、非常脱出機能付き引き戸１を移動（開閉）させることができる。なお、本実施形態では、非常脱出機能付き引き戸１として木製のものを用いたが、これに限らず、アルミ製でもよく、他の材料から製造されたものを用いてもよい。
【００２０】
次に、非常脱出機能付き引き戸の各部材について、図面を参照にしながら具体的に説明する。ここで、図４（ａ）は本発明の第１実施形態における上案内溝係合体と結合した下部延設体の上部斜視図であり、図４（ｂ）は同上案内溝係合体の上面図であり、図４（ｃ）は同下部延設体の下部側面斜視図であり、図５（ａ）は本発明の第１実施形態における支持体の上部斜視図であり、図５（ｂ）は同支持体の上面図であり、図５（ｃ）は同支持体の側面図である。
【００２１】
図４（ａ）に示すように、上案内溝係合体１２は、木製で下部が横長の略四角柱形状で、その上部が下部より横長さが長い形状で形成されている。また、上案内溝係合体１２は、非常脱出機能付き引き戸１の裏面側（後面側）に配置され、横幅長さが非常脱出機能付き引き戸１より小形（略小径）に構成されている。すなわち、上案内溝係合体１２の左右側面には少なくとも躯体開口１１の左右側面体１１ａ、１１ｂが配置されているので、上案内溝係合体１２は、非常脱出機能付き引き戸１より左右側面体１１ａ、１１ｂの横幅長さだけ少なくとも小形（略小径）に構成されている。また、上案内溝係合体１２の左端には左端突出片１７ａ、右端には右端突出片１７ｂがそれぞれ形成されている。そして、非常脱出機能付き引き戸１が引き戸枠２に設置された状態で、上述したように、上案内溝係合体１２の上端部が引き戸枠２の上案内溝６と係合しながら、上案内溝係合体１２を上案内溝６に沿って移動させることができる。また、上案内溝係合体１２の左端の左端突出片１７ａと右端の右端突出片１７ｂは、躯体開口１１の左側面体１１ａに形成された左案内レール１８ａ（図６参照）および右側面体１１ｂに形成された右案内レール１８ｂと係合して、上案内溝係合体１２を上下に移動させる際に、その上案内溝係合体１２の上下移動が案内される。また、上案内溝係合体１２の横長さが長くなった上部側面には、下方に延びる側面係合体１９が設けられている。なお、本実施形態では、上案内溝係合体１２として木製のものを用いたが、これに限らず、アルミ製でもよく、他の材料から製造されたものを用いてもよい。
【００２２】
上案内溝係合解除機構部１３は、上案内溝係合体１２と結合し、上案内溝係合体１２の高さ方向の下部まで延設する下部延設体１４と、下部延設体１４を係止することにより、下部延設体１４を下部から支持する支持体１５と、を有している。
【００２３】
下部延設体１４は、奥行き幅１６ｍｍ、横幅２５ｍｍの略四角柱形状で、上端が上案内溝係合体１２と結合して設けられている（図４参照）。本実施形態では、下部延設体１４を奥行き幅１６ｍｍ、横幅２５ｍｍとしたが、これに限らず、奥行き幅１６ｍｍ〜２５ｍｍ、横幅２５ｍｍ〜３５ｍｍなどにしてもよく、また他の寸法で形成してもよい。そして、下部延設体１４の下端には、裏面から見た場合の奥行き方向（前後方向）の中間位置を中心に前後方向幅７．５ｍｍ強の切込みが形成されている。このように、下部延設体１４の下端には、逆凹形状の支持体挿入凹部２０が形成されている。下部延設体１４の支持体挿入凹部２０の高さは、支持体１５の高さより高く形成されている。具体的には、下部延設体１４の支持体挿入凹部２０の高さは裏面から見た場合の前面側を３０ｍｍ、後面側を４５ｍｍとして形成されている（図４（ｃ）参照）。このように、支持体挿入凹部２０の前面側より後面側の方が高さが高くなっている。ここで、下部延設体１４の全長高さは前面側を５０ｍｍ、後面側を６５ｍｍである。なお、本実施形態では、下部延設体１４の支持体挿入凹部２０の高さを手前側３０ｍｍ、奥側４５ｍｍとしたが、これに限らず、手前側２０ｍｍ〜４０ｍｍ、奥側３５ｍｍ〜５５ｍｍなどにしてもよく、また他の寸法で形成してもよい。
【００２４】
支持体１５は、奥行き幅が１６ｍｍ、横幅が３５０ｍｍの形状で、中間上部に支持体把持部２１が形成されている。支持体１５の左右には、下部延設体１４の下端の支持体挿入凹部２０の内面と係合する支持体切欠部２２が形成されている。なお、この支持体１５の左右の支持体切欠部２２の間隔は、左右の下部延設体１４の間隔と同等の間隔で形成されている。このようにすることにより、支持体１５の左右の支持体切欠部２２は、左右の下部延設体１４に対応した構成となる。支持体切欠部２２の前側面の前面切欠け２３は、横幅が下部延設体１４の横幅の２倍強の長さで形成されている。具体的には、前面切欠け２３は、前面切欠け２３の横方向中央を境として、左側部分には横幅が２５ｍｍ強、深さが４．５ｍｍ程度の左側切欠け２３ａが形成され、右側部分には高さ１０ｍｍの位置から上部に横幅が２５ｍｍ強、深さが４．５ｍｍ程度の右側切欠け２３ｂが形成されている。また、支持体１５の前面切欠け２３の後面（裏面）には前面切欠け２３と対応した位置全面に横幅が５０ｍｍ強の後面切欠け２４が形成されている。後面切欠け２４は、前面切欠け２３と同様、横幅が下部延設体１４の横幅の２倍強の長さ、深さが４．５ｍｍ程度で形成されている。このように、前面切欠け２３および後面切欠け２４が形成されることにより、その支持体切欠部２２の厚み幅は、左側と右側上部が７．５ｍｍ弱、右側下部は１６ｍｍに形成されている。このように、支持体１５の支持体切欠部２２の厚み幅を下部延設体１４の支持体挿入凹部２０の厚み幅より少し小さくしているので、支持体１５の支持体切欠部２２を下部延設体１４の支持体挿入凹部２０にスムーズに挿入することができる。
【００２５】
支持体１５の下部には躯体開口１１の下面体（下面柱）１１ｃが設けられ、その躯体開口１１の下面体１１ｃの上部に支持体１５が載置され設置される。また、躯体開口１１の下面体１１ｃには、支持体切欠部２２の前面切欠け２３の左側切欠け２３ａの下部に下部延設体１４が挿入される下部延設体挿入口２５が形成されるとともに、前面切欠け２３の左側切欠け２３ａの下部に相当する後面切欠け２４の下部にも下部延設体挿入口２５が形成されている。また、非常脱出機能付き引き戸１を引き戸枠２に設置した状態では、躯体開口１１の左右側面体１１ａ、１１ｂの上端が引き戸本体１０の上部より低くなるように形成され、躯体開口１１の左右側面体１１ａ、１１ｂの上端の外側側面には、上述した上案内溝係合体１２の側面係合体１９が係合する側面係合体切欠部２６が形成されている。
【００２６】
次に、非常脱出機能付き引き戸の上端を下方に移動させる動きについて、図面を参照にしながら説明する。ここで、図６は本発明の第１実施形態における非常脱出機能付き引き戸の通常設置状態を示す斜視図であり、図７は同非常脱出機能付き引き戸の上端が下方に移動した状態を示す図であり、図８（ａ）は同非常脱出機能付き引き戸の通常設置状態を示す側面図であり、図８（ｂ）は図８（ａ）のＡ−Ａ断面図であり、図９（ａ）は同非常脱出機能付き引き戸の上端が下方に移動した状態を示す図であり、図９（ｂ）は図９（ａ）のＢ−Ｂ断面図である。
【００２７】
まず最初に、非常脱出機能付き引き戸１の取付方法について簡単に説明する。非常脱出機能付き引き戸１を引き戸枠２に取り付ける場合は、引き戸本体１０の下端突出片９を引き戸枠２の下案内レール５に係合させた後に、非常脱出機能付き引き戸１を垂直方向に立たせた状態にする。なお、この状態では、上案内溝係合体１２が下部に移動している状態（下部延設体１４が下部に移動した状態）である。そして、この状態から、上下操作窓７に指を挿入して支持体１５を上部に上げながら、左右操作窓８に指を挿入して支持体１５を左方向に移動させるように操作する。これにより、支持体切欠部２２の右側切欠け２３ｂに下部延設体１４が係合し、下部延設体１４の下部が支持体切欠部２２の右側切欠け２３ｂの下部で係止され、上案内溝係合体１２の上端部が引き戸枠２の上案内溝６と係合し、非常脱出機能付き引き戸１を引き戸として使用することができる。このように、非常脱出機能付き引き戸１が引き戸として使用できる状態なった場合においても、上案内溝係合体１２上面が上案内溝係合体１２の上面の右端部から左端部まで連続して上案内溝６と係合しているので、上案内溝係合体１２上面と上案内溝６との隙間が上案内溝係合体１２上面により閉鎖され、外部から内部に隙間風が入ってくることを防止することができる。さらに、躯体開口１１の左右側面体１１ａ、１１ｂの上部を引き戸本体１０の上部より低くし、その奥に引き戸本体１０が設置されているので、非常脱出機能付き引き戸１が引き戸として使用できる状態なった場合においても、躯体開口１１の左右側面体１１ａ、１１ｂの上部からも隙間風が入ってくることを防止することができる。
【００２８】
次に、非常脱出機能付き引き戸１の取り外し方法について説明する。非常脱出機能付き引き戸１を引き戸枠２から取り外す場合は、引き戸枠２に取り付けられている非常脱出機能付き引き戸１の支持体１５を右方向に移動させて、支持体１５の支持体切欠部２２の左側切欠け２３ａが下部延設体１４の支持体挿入凹部２０に係合するように、支持体１５を操作する。これにより、下部延設体１４下部から下部延設体挿入口２５内に挿入され、上案内溝係合体１２が下部に移動することにより、上案内溝係合体１２の上端部と引き戸枠２の上案内溝６の係合が解除される。これのように、上案内溝係合体１２の上端部と引き戸枠２の上案内溝６の係合が解除されると、非常脱出機能付き引き戸１を外部に倒し、引き戸枠２から脱出することができる。ここで、図１０は、本発明の第１実施形態における非常脱出機能付き引き戸が使用者に押圧され倒される状態を示す図である。
【００２９】
（第２実施形態）
次に、本発明にかかる第２実施形態における非常脱出機能付き袖パネルについて説明する。ここで、図１１は本発明の第２実施形態における非常脱出機能付き袖パネルが取り付けられた状態を示す正面図であり、図１２は同非常脱出機能付き袖パネルが取り付けられた状態を示す裏面図である。
【００３０】
本発明の第２実施形態と第１実施形態の異なるところは、第１実施形態の非常脱出機能付き引き戸１では、上端を下方に移動させることができる機構を引き戸に装着した態様を示したが、第２実施形態では  上端を下方に移動させることができる機構を袖パネルに装着したところが異なる。なお、第２実施形態においては、第１実施形態と異なるところを中心に説明する。第２実施形態では、第１実施形態と同一構成については、同一符号を用い、同一作用効果を奏するものとし説明は省略する。
【００３１】
図１１に示すように、非常脱出機能付き袖パネル５１の上部は、第１実施形態同様、非常脱出機能付き袖パネル５１の上端を下方に移動させることができる構造になっている。この非常脱出機能付き袖パネル５１の上端を下方に移動させる構造として、上案内溝６と所定の間隔を空けて袖パネル枠５２内に設置され、下面に袖パネル枠５２の底板５２ｂ上部の袖パネル枠設置部５５と係合する下端突出片５９が形成された袖パネル本体６０と、袖パネル本体６０の上部に設けられ、少なくとも左右側面体１１ａ、１１ｂ、および下面体１１ｃで囲まれた躯体開口１１と、躯体開口１１の左右側面に係合して設けられ、上面が袖パネル枠５２の頂板５２ａ下部の上案内溝６と係合する上案内溝係合体１２と、上案内溝係合体１２を下方に移動させて、上案内溝係合体１２上面と上案内溝６との係合を解除させる上案内溝係合解除機構部１３（下部延設体１４と支持体１５）とから構成されている。このように、第２実施形態の非常脱出機能付き袖パネル５１においても、第１実施形態同様、上案内溝係合体１２が躯体開口１１の左右側面に係合して設けられているので、震災などにより非常脱出機能付き袖パネル５１に荷重が掛かった場合でも、躯体開口１１の左右全域から構成される上案内溝係合体１２により荷重が支持され、局部的に大きな荷重が掛かることない。これにより、非常脱出機能付き袖パネル５１を破壊から保護することができる。
【００３２】
そして、非常脱出機能付き袖パネル５１の取り外しについても、袖パネル枠５２に取り付けられている非常脱出機能付き袖パネル５１の支持体１５を右方向に移動させて、支持体１５の支持体切欠部２２の左側切欠け２３ａが下部延設体１４の支持体挿入凹部２０に係合するように、支持体１５を操作することにより、下部延設体１４下部から下部延設体挿入口２５内に挿入され、上案内溝係合体１２が下部に移動することにより、上案内溝係合体１２の上端部と袖パネル枠５２の上案内溝６の係合が解除される。これにより、上案内溝係合体１２の上端部と袖パネル枠５２の上案内溝６の係合が解除されると、非常脱出機能付き袖パネル５１を外部に倒し、袖パネル枠５２から脱出することができる。ここで、図１３は、本発明の第２実施形態における非常脱出機能付き袖パネルが使用者に押圧され倒される状態を示す図１１のＣ−Ｃ断面図である。
【００３３】
今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【００３４】
１      非常脱出機能付き引き戸
２      引き戸枠
２ａ    頂板
２ｂ    底板
２ｃ    左側板
２ｄ    右側板
３      壁
４      右側板カバー
５      下案内レール
６      上案内溝
７      上下操作窓
８      左右操作窓
９      下端突出片
１０    引き戸本体
１１    躯体開口
１１ａ  左側面体
１１ｂ  右側面体
１１ｃ  下面体
１２    上案内溝係合体
１３    上案内溝係合解除機構部
１４    下部延設体
１５    支持体
１６    把手部
１７ａ  左端突出片
１７ｂ  右端突出片
１８ａ  左案内レール
１８ｂ  右案内レール
１９    側面係合体
２０    支持体挿入凹部
２１    支持体把持部
２２    支持体切欠部
２３    前面切欠け
２３ａ  左側切欠け
２３ｂ  右側切欠け
２４    後面切欠け
２５    下部延設体挿入口
２６    側面係合体切欠部
５１    非常脱出機能付き袖パネル
５２    袖パネル枠
５２ｂ  底板
５５    袖パネル枠設置部
５９    下端突出片
６０    袖パネル本体
【図１】
2019065699.tif 000003
【図２】
2019065699.tif 000004
【図３】
2019065699.tif 000005
【図４】
2019065699.tif 000006
【図５】
2019065699.tif 000007
【図６】
2019065699.tif 000008
【図７】
2019065699.tif 000009
【図８】
2019065699.tif 000010
【図９】
2019065699.tif 000011
【図１０】
2019065699.tif 000012
【図１１】
2019065699.tif 000013
【図１２】
2019065699.tif 000014
【図１３】
2019065699.tif 000015
【図１４】
2019065699.tif 000016
【図１５】
2019065699.tif 000017
【図１６】
2019065699.tif 000018